(57)【特許請求の範囲】
【請求項１】
屋根断熱層が、金属製の波板をウレタン発泡樹脂断熱材の上面側に隙間無く設けると共に金属製波板とウレタン発泡樹脂断熱材とをウレタン発泡時に接着一体化させてなる断熱パネルを、波板の山谷が繰り返される方向において複数並べて形成されたものからなり、
該屋根断熱層の波板の上側に、透湿防水シートが、隣り合う断熱パネルにわたすようにして設けられ、該透湿防水シートの上側に第１の通気層を介して葺き材が設けられると共に、前記波板と透湿防水シートとの間に波板の谷部と透湿防水シートとによる第２の通気層が設けられ、該第２通気層において波板の上面部で結露した水は、山谷の繰り返す方向へは移動を阻止され、屋根の水勾配を利用して谷部の延びる方向へ排水されるようになされていることを特徴とする断熱屋根の構造。
【請求項２】
前記波板の山谷の繰り返す方向において透湿防水シートが複数備えられ、これら透湿防水シートは、前記第１通気層を形成する胴縁の上面部において重ね合わされ、シール状態に接合されている請求項１に記載の断熱屋根の構造。
【発明の詳細な説明】
【技術分野】
【０００１】
本発明は、断熱屋根の構造に関する。
【背景技術】
【０００２】
屋根部に断熱層が設けられた断熱屋根では、屋内の湿気が、断熱層を越えて上にのぼることで結露をし、その結露水が屋内に侵入してしまうことがある。
【発明の開示】
【発明が解決しようとする課題】
【０００３】
本発明は、上記のような問題点に鑑み、断熱層を越えてのぼった屋内の湿気による結露水の屋内侵入を防ぐことができる断熱屋根の構造を提供することを課題とする。
【課題を解決するための手段】
【０００４】
上記の課題は、屋根断熱層の上側に透湿防水シートが設けられ、該透湿防水シートの上側に通気層を介して葺き材が設けられていることを特徴とする断熱屋根の構造によって解決される（第１発明）。
【０００５】
この構造では、屋内の湿気は、屋根断熱層を越えると、更に透湿防水シートを越えて通気層に入り込み、通気層を通る外気の流れにのって外に排湿されて、結露の発生が抑制ないしは防止される。また、通気層で排湿されずに残った湿気は通気層で結露をしても、該結露水は、透湿防水シートを越えることはできず、通気層において、屋根の水勾配を利用して排水される。こうして、結露水の屋内侵入を防ぐことができる。
【０００６】
第１発明において、屋根断熱層が、波板を発泡樹脂断熱材の上面側に隙間無く設けた断熱パネルを波板の山谷が繰り返される方向において複数並べて形成されたものからなり、該波板と透湿防水シートとの間に波板の谷部と透湿防水シートとによる第２の通気部が設けられているとよい（第２発明）。
【０００７】
即ち、透湿防水シートと葺き材との間の第１の通気層に入った屋内の湿気は、透湿防水シートを通じて、透湿防水シートと屋根断熱層との間に侵入して結露を起こすことがあるが、透湿防水シートと屋根断熱層の波板との間には第２の通気層が備えられているので、該第２通気層を通る外気の流れにのって外に排湿されて、結露の発生が抑制ないしは防止される。また、第２通気層で排湿されずに残った湿気は、第２通気層で結露をしても、該結露水は、波板の山谷によって、山谷の繰り返す方向へは移動できず、屋根の水勾配を利用して排水される。こうして、結露水の屋内侵入をより一層効果的に防ぐことができる。
【発明の効果】
【０００８】
本発明は、以上のとおりのものであるから、断熱層を越えてのぼった屋内の湿気による結露水の屋内侵入を防ぐことができる。
【発明を実施するための最良の形態】
【０００９】
次に、本発明の実施最良形態を図面に基づいて説明する。
【００１０】
図１及び図２に示す実施形態の断熱屋根の構造は、落雪防止機能のあるフラット屋根に適用した場合のもので、１…は屋根断熱パネルであり、該断熱パネル１…は、鋼製の屋根梁２，２の上に設置されて並べられ、その上に透湿防水シート３が設けられると共に、その上に通気部形成用の胴縁４…を介して葺き材としての亜鉛鉄板５が設けられ、亜鉛鉄板５と透湿防水シート３との間に第１の通気層６が設けられている。
【００１１】
なお、図１（イ）に示すように、隣り合う透湿防水シート３，３同士をつなぐ場合は、それらを胴縁４の上面部で重ね合わせ、溶着等によりシール状態に接合することにより、防水の信頼性を高いものにすることができる。
【００１２】
また、屋根断熱パネル１は、波板としてのキーストン鋼板７がウレタン等の発泡樹脂断熱材８の上面側に隙間無く設けられると共に、下面部に合板９が備えられ、それらが断熱材８の発泡時等において接着一体化されたものからなっていて、該断熱パネル１は、キーストン鋼板７の山谷が繰り返される方向において複数並べられ、山谷の延びる方向の両端を屋根梁２，２に支承させて設置され、キーストン鋼板７と透湿防水シート３との間にキーストン鋼板７の谷部と透湿防水シート３とによる第２の通気層１０が設けられている。
【００１３】
なお、水勾配は、キーストン鋼板７の山谷の延びる方向に設けられている。１１は防湿層、１２は屋内である。
【００１４】
上記の断熱屋根では、防湿層１１に不良箇所があって、屋内１２の湿気が隣り合う断熱パネル１…間を通じて上昇すると、更に透湿防水シート３を越えて第１通気層６に入り込み、該第１通気層６を通る外気の流れにのって外に排湿されて、結露の発生が抑制ないしは防止される。
【００１５】
また、第１通気層６で排湿されずに残った湿気は、第１通気層６で亜鉛鉄板５との接触などによって結露をしても、該結露水は、透湿防水シート３を越えて下にいくことはできず、第１通気層６において、屋根の水勾配を利用して排水される。
【００１６】
更に、透湿防水シート３と亜鉛鉄板５との間の第１通気層６に入った屋内の湿気は、透湿防水シート３を通じて、透湿防水シート３と屋根断熱パネルのキーストン鋼板７との間に侵入してキーストン鋼板７との接触等によって結露を起こすことがあるが、透湿防水シート３とキーストン鋼板７との間には第２通気層１０が備えられているので、該第２通気層１０を通る外気の流れにのって外に排湿されて、結露の発生が抑制ないしは防止される。
【００１７】
また、第２通気層１０で排湿されずに残った湿気は、第２通気層１０においてキーストン鋼板７との接触等によって結露をしても、該結露水は、キーストン鋼板７の山谷によって、山谷の繰り返す方向へは移動できず、そのため、隣り合う屋根断熱パネル１…間にいくことはできず、屋根の水勾配を利用して排水される。こうして、結露水の屋内侵入は効果的に防がれる。
【００１８】
キーストン鋼板７は、発泡樹脂断熱材８の上面側に隙間無く設けられているので、キーストン鋼板７と発泡樹脂断熱材８との間への湿気の侵入はなく、屋内への結露水の侵入の原因とはならない。
【００１９】
なお、上記の屋根断熱パネル１…として、例えば、キーストン鋼板７がウレタン発泡断熱材８の上面側に隙間無く設けられ、それらがウレタン発泡時に接着一体化されたものを用いる場合は、発泡ウレタン８とキーストン鋼板７との組み合わせ相乗作用によって積雪等の重量物に強く耐えられる強固な屋根構造を実現することができる。
【００２０】
また、亜鉛鉄板５に不良箇所があって、雨水が亜鉛鉄板の下方に侵入しても、そこには透湿防水シート３が存在しているので、透湿防水シート３によって排水され、雨水が屋内１２に侵入してしまうこともない。
【００２１】
以上に、本発明の実施形態を示したが、本発明はこれに限られるものではなく、発明思想を逸脱しない範囲で各種の変更が可能である。例えば、上記の実施形態では、屋内１２に面して防湿層１１が設けられ、該防湿層１１の不良箇所を原因とする結露水の屋内侵入を防止する構造とした場合を示したが、防湿層１１は省略されてもよく、それでも、結露水の屋内侵入を防ぐことはできる。
【００２２】
また、上記の実施形態では、第２通気層１０を設けた場合を示したが、第１発明では省略されてもよい。それでも第１通気層６と透湿防水シート３との作用で、屋内への結露水の侵入を有効的に防ぐことはできる。
【００２３】
更に、波板は、キーストン鋼板７に限らず、金属等からなる各種波板であってよいし、葺き材も、亜鉛鉄板に限らず、金属等からなる各種板等の材からなっていてよい。
【００２４】
また、上記の実施形態では、屋根断熱層を鋼製する断熱材として、発泡樹脂断熱材を用いた場合を示したが、第１発明では、断熱材は、繊維系断熱材であってもよい。繊維系断熱材の場合も、該断熱材を通じて上昇する屋内の湿気による結露水の屋内への侵入を有効的に阻止することができる。
【００２５】
また、本発明では、屋根の下は、小屋裏であってもよいし、室内であってもよい。また、本発明の断熱屋根の構造は、フラット屋根に限らず、傾斜屋根などの各種屋根に広く用いることができるものである。
【図面の簡単な説明】
【００２６】
【図１】実施形態の断熱屋根の構造を示すもので、図（イ）は断面正面図、図（ロ）は建物全体の斜視図である。
【図２】同断熱屋根の構造を示す分解斜視図である。
【符号の説明】
【００２７】
１…屋根断熱パネル（屋根断熱層）
３…透湿防水シート
５…亜鉛鉄板（葺き材）
６…第１通気層
７…キーストン鋼板（波板）
８…発泡樹脂断熱材
１０…第２通気層
１２…屋内
【図１】
0004824991.tif 000002
【図２】
0004824991.tif 000003